(57)【要約】      （修正有）【課題】丸形モータへの電源供給や信号伝達において、電源供給等の手段を外形（外径）内に納めた状態で、つまり外形からはみ出さない状態でこれを可能とする、丸形モータの電力等供給構造を提供すること。【解決手段】丸形モータ１の電力等供給構造１０は、丸形モータ１に電力または信号の少なくともいずれかを供給する、丸形モータ１外表面に巻かれたフレキシブル基板である。電力等供給構造１０を構成するフレキシブル基板は長尺状かつ平行四辺形状であり、これが丸形モータ１に設置されている状態では、丸形モータ１外周に螺旋状に巻かれている形態である。【選択図】図２
2018182902.tif 000002
【特許請求の範囲】
【請求項１】
丸形モータに電力または信号の少なくともいずれかを供給するための構造であって、丸形モータ外表面に巻かれたフレキシブル基板であることを特徴とする、丸形モータの電力等供給構造。
【請求項２】
前記フレキシブル基板は長尺状であり、丸形モータに螺旋状に巻かれていることを特徴とする、請求項１に記載の丸形モータの電力等供給構造。
【請求項３】
前記フレキシブル基板は平行四辺形状（長方形状および正方形状を除く）であることを特徴とする、請求項１または２に記載の丸形モータの電力等供給構造。
【請求項４】
電力配線または信号配線が、モータの円筒形外形から前記フレキシブル基板の厚さを超えてはみ出ることなく設けられていることを特徴とする、請求項１ないし３のいずれかに記載の丸形モータの電力等供給構造。
【請求項５】
請求項１ないし４のいずれかに記載の電力等供給構造が設けられていることを特徴とする、丸形モータ。
【請求項６】
丸形モータへの電力または信号の少なくともいずれかを供給するための基板であって、長尺状かつ平行四辺形状（長方形状および正方形状を除く）のフレキシブル基板であることを特徴とする、丸形モータ用電力等供給用基板。
【請求項７】
請求項６に記載の丸形モータ用電力等供給用基板を丸形モータの外周に螺旋状に巻いて設置して行うことを特徴とする、丸形モータの電力等供給方法。
【発明の詳細な説明】
【技術分野】
【０００１】
本発明は丸形モータの電力等供給構造、丸形モータ、丸形モータ用電力等供給用基板、および丸形モータの電力等供給方法に係り、特に、丸形モータにおける電力、信号供給方法に関するものである。
【背景技術】
【０００２】
図３は、従来の丸形モータにおける電源供給等の方法を示す斜視説明図である。モータはその外形により、丸形（円筒形）、小判形、角形等に分類されるが、図示する丸形モータ３１では、電源供給等はリード線３３により行われる。図示するようにリード線３１は、丸形モータ３１の外形（外径）から張り出した形態で接続され、用いられる。
【先行技術文献】
【特許文献】
【０００３】
【特許文献１】特開２０１５−１５３７０５号公報「照明用光源及び照明装置」
【特許文献２】特開２００６−２１５５２１号公報「レンズ装置、およびレンズ装置を有する撮像装置」
【発明の概要】
【発明が解決しようとする課題】
【０００４】
しかし、リード線３３が丸形モータ３１の外形（外径）からはみ出ている状態は、その分占有体積が必要となり、運搬・収容・設置・使用において相応のスペースを要することになる。
【０００５】
そこで本発明が解決しようとする課題は、かかる従来技術の問題点をなくし、丸形モータへの電源供給や信号伝達において、電源供給等の手段を外形（外径）内に納めた状態で、つまり外形からはみ出さない状態でこれを可能とする、丸形モータの電力等供給構造を提供することである。
【課題を解決するための手段】
【０００６】
本願発明者は上記課題について検討した。従来のようにリード線を用いるのでは、リード線が円筒の外形からはみ出てしまうので、リード線に替えてフレキシブル基板を使用することとした。しかし、長尺の長方形形状のフレキシブル基板を外部との電力供給等に用いる場合、フレキシブル基板は丸形モータの円筒形の外周面に添って設けられることになる。このため、幅方向に湾曲せしめられるなどして無理な変形が生じてしまい、フレキシブル基板に負荷がかかるため、望ましくない。
【０００７】
一方、フレキシブル基板を平面に保持可能な平面状の設置面を設ければ基板に無理な変形が生じることはない。しかし、この方法では結局、占有体積が大きくなってしまい、課題であるところの省スペースの実現は不可能である。
【０００８】
これらの思考過程を経て発明者は、フレキシブル基板の形状を角が直角ではない四角形すなわち平行四辺形形状とし、これを螺旋状に丸形モータ外周に巻く方法に想到した。そして、これによればフレキシブル基板に無理な変形が発生しない状態で丸形モータの外周に配置することができ、円筒の外形からはみ出ることなく電源供給線を配置できることを見出し、これに基づいて本発明を完成するに至った。すなわち、上記課題を解決するための手段として本願で特許請求される発明、もしくは少なくとも開示される発明は、以下の通りである。
【０００９】
〔１〕  丸形モータに電力または信号の少なくともいずれかを供給するための構造であって、丸形モータ外表面に巻かれたフレキシブル基板であることを特徴とする、丸形モータの電力等供給構造。
〔２〕  前記フレキシブル基板は長尺状であり、丸形モータに螺旋状に巻かれていることを特徴とする、〔１〕に記載の丸形モータの電力等供給構造。
〔３〕  前記フレキシブル基板は平行四辺形状（長方形状および正方形状を除く）であることを特徴とする、〔１〕または〔２〕に記載の丸形モータの電力等供給構造。
【００１０】
〔４〕  電力配線または信号配線が、モータの円筒形外形から前記フレキシブル基板の厚さを超えてはみ出ることなく設けられていることを特徴とする、〔１〕ないし〔３〕のいずれかに記載の丸形モータの電力等供給構造。
〔５〕  〔１〕ないし〔４〕のいずれかに記載の電力等供給構造が設けられていることを特徴とする、丸形モータ。
【００１１】
〔６〕  丸形モータへの電力または信号の少なくともいずれかを供給するための基板であって、長尺状かつ平行四辺形状（長方形状および正方形状を除く）のフレキシブル基板であることを特徴とする、丸形モータ用電力等供給用基板。
〔７〕  〔６〕に記載の丸形モータ用電力等供給用基板を丸形モータの外周に螺旋状に巻いて設置して行うことを特徴とする、丸形モータの電力等供給方法。
【発明の効果】
【００１２】
本発明の丸形モータの電力等供給構造、丸形モータ、丸形モータ用電力等供給用基板、および丸形モータの電力等供給方法は上述のように構成されるため、これらによれば、電源供給等の手段を外形（外径）内に納めた状態で、つまり外形からはみ出さない状態で、丸形モータへの電源供給や信号伝達を行うことができる。
【００１３】
すなわち、電力等供給構造としてフレキシブル基板を用い、これを丸形モータの外周面に螺旋状に配置することにより、円筒の外形からはみ出ることなく電源供給線や信号線を配置することができる。したがって、従来のリード線を用いる方式と比較して、少ない体積で、無理な変形なく、電力供給や信号伝達を行うことができる。
【００１４】
なお、上掲各特許文献には、簡略な構成により全方向への配光可能な照明用光源や、配線スペース縮小等により小型化可能な撮像装置において、フレキシブル基板を用いる技術が開示されている。しかしこれらは、本発明の技術分野であるモータ分野とは全く相違する技術である。
【図面の簡単な説明】
【００１５】
【図１】本発明丸形モータの電力等供給構造の例を示す平面図および側面図である。
【図２】本発明丸形モータの電力等供給構造の仕様例を示す斜視説明図である。
【図３】従来の丸形モータにおける電源供給等の方法を示す斜視説明図である。
【発明を実施するための形態】
【００１６】
以下、図面により本発明を詳細に説明する。
図１は、本発明丸形モータの電力等供給構造の例を示す平面図および側面図である。図中、上方に示したものが側面図である。また、
図２は、本発明丸形モータの電力等供給構造の仕様例を示す斜視説明図である。これらに示すように、本発明の丸形モータの電力等供給構造１０は、丸形モータ１に電力または信号の少なくともいずれかを供給するための構造であって、丸形モータ１外表面に巻かれたフレキシブル基板であることを、基本的な構成とする。
【００１７】
本電力等供給構造１０を構成するフレキシブル基板は長尺状であり、これが丸形モータ１に設置されている状態では、丸形モータ１外周に螺旋状に巻かれている形態である。また、フレキシブル基板（１０）は角が直角ではない四角形、すなわち平行四辺形状に形成されており、それ故にその短辺を丸形モータ１の端部外周に合わせて外周上に巻いていくと、螺旋状に形成される。また、この巻き方には無理がなく、フレキシブル基板に無理な変形が生じることがない。なお、図示する電力等供給構造１０の形状は例示であり、角が直角ではない平行四辺形である限り、形状は限定されない。
【００１８】
図２中、電力等供給構造１０（フレキシブル基板）のステータ側端子４からはステータ内への配線がなされ、また、外部側端子５からはモータ１外部への接続がなされる。本電力等供給構造１０では、電力配線または信号配線を、丸形モータ１の円筒形外形からフレキシブル基板の厚さを超えてはみ出ることなく設けることができる。つまり、これらの配線、接続も、丸形モータ１の外形からはみ出ることなく形成することができる。
【００１９】
なおまた、以上説明した電力等供給構造が設けられている丸形モータ自体も、また、長尺状かつ平行四辺形状のフレキシブル基板である丸形モータ用電力等供給用基板も、さらに、この丸形モータ用電力等供給用基板を丸形モータの外周に螺旋状に巻いて設置して行う丸形モータの電力等供給方法も、本発明の範囲内である。
【産業上の利用可能性】
【００２０】
本発明の丸形モータの電力等供給構造等によれば、丸形モータに適した形状のフレキシブル基板とその使用方法を提供するものであり、電源供給等の手段を外形内に納めた状態、はみ出さない状態で、丸形モータへの電源供給や信号伝達を行うことができる。したがって、当該分野および関連する全分野において、産業上利用性が高い発明である。
【符号の説明】
【００２１】
１…丸形モータ
２…軸
４…ステータ側端子
５…外部側端子
１０…フレキシブル基板（丸形モータの電力等供給構造）
３１…丸形モータ
３２…軸
３３…リード線
【図１】
2018182902.tif 000003
【図２】
2018182902.tif 000004
【図３】
2018182902.tif 000005